(57)【要約】【課題】騒音を低減できるプロジェクターを提供すること。【解決手段】プロジェクターは、光源から射出され変調された光を投射する投射光学装置と、回転軸Ａｘを有し、冷却対象に空気を流通させるファン７３と、天面、底面、及び天面と底面とを接続する側面を有し、投射光学装置及びファン７３を内部に収納する外装筐体と、を備え、ファン７３は、空気を吸入する第１吸入口７５１Ａと、第１吸入口７５１Ａから吸入された空気を吐出する吐出口７５３Ａと、回転軸Ａｘに沿う方向に第１吸入口７５１Ａから離間した位置に配置され、第１吸入口７５１Ａの一部を覆う遮音部７６４と、を有し、外装筐体の側面に第１吸入口７５１Ａが対向する位置に配置され、遮音部７６４は、第１吸入口７５１Ａにおいて外装筐体の天面側に配置される。【選択図】図４
2014191154.tif 000002
【特許請求の範囲】
【請求項１】
光源から射出され変調された光を投射する投射光学装置と、
回転軸を有し、冷却対象に空気を流通させる冷却ファンと、
天面、底面、及び前記天面と前記底面とを接続する側面を有し、前記投射光学装置及び前記冷却ファンを内部に収納する外装筐体と、を備え、
前記冷却ファンは、空気を吸入する吸入口と、前記吸入口から吸入された空気を吐出する吐出口と、前記回転軸に沿う方向に前記吸入口から離間した位置に配置され、前記吸入口の一部を覆う遮音部と、を有し、前記外装筐体の前記側面に前記吸入口が対向する位置に配置され、
前記遮音部は、前記吸入口において前記外装筐体の前記天面側に配置される
ことを特徴とするプロジェクター。
【請求項２】
請求項１に記載のプロジェクターにおいて、
前記冷却ファンは、
前記吸入口及び前記吐出口を有するファン本体部と、
前記ファン本体部を収納し、前記吸入口を露出させる開口部を有するファンカバーと、を有し、
前記遮音部は、前記開口部の一部を覆う庇状に前記ファンカバーに設けられている
ことを特徴とするプロジェクター。
【請求項３】
請求項２に記載のプロジェクターにおいて、
前記冷却ファンは、前記ファン本体部と前記ファンカバーとの間に防振部材を有する
ことを特徴とするプロジェクター。
【請求項４】
請求項１から請求項３のいずれかに記載のプロジェクターにおいて、
前記光源は、前記外装筐体内の、前記投射光学装置の投射方向と前記光源から射出される光の光軸とが直交する位置に配置され、
前記冷却ファンは、前記光源の前記光軸に沿った方向に前記吐出口から空気を吐出して前記光源を冷却し、
前記冷却ファンは、前記吸入口が前記外装筐体の前記投射方向とは反対側の前記側面に対向する位置に配置される
ことを特徴とするプロジェクター。
【発明の詳細な説明】
【技術分野】
【０００１】
本発明は、プロジェクターに関する。
【背景技術】
【０００２】
従来、冷却空気を光学装置や光変調装置等の冷却対象に供給するファンを備えたプロジェクターが知られている（例えば、特許文献１参照）。
この特許文献１に記載のプロジェクターでは、光学装置と外装筐体の背面との間に配設されたファンにより、外装筐体の外部から取り込まれた空気を光学装置に供給している。
【先行技術文献】
【特許文献】
【０００３】
【特許文献１】特開２０１２−６３３８８号公報
【発明の概要】
【発明が解決しようとする課題】
【０００４】
ところで、ファンが駆動すると、モーターの駆動音や風切り音等のファンノイズが発生する。ファンノイズは、ファンに設けられた吸入口からファンケースの外部に洩れ、結果として、外装筐体を伝導して外部に騒音として伝わったり、当該外装筐体に形成された吸気口や排気口等の開口を介して外部に洩れたりすることがあるという問題がある。
【０００５】
本発明は、騒音を低減できるプロジェクターを提供することを目的の１つとする。
【課題を解決するための手段】
【０００６】
本発明の一態様に係るプロジェクターは、光源から射出され変調された光を投射する投射光学装置と、回転軸を有し、冷却対象に空気を流通させる冷却ファンと、天面、底面、及び前記天面と前記底面とを接続する側面を有し、前記投射光学装置及び前記冷却ファンを内部に収納する外装筐体と、を備え、前記冷却ファンは、空気を吸入する吸入口と、前記吸入口から吸入された空気を吐出する吐出口と、前記回転軸に沿う方向に前記吸入口から離間した位置に配置され、前記吸入口の一部を覆う遮音部と、を有し、前記外装筐体の前記側面に前記吸入口が対向する位置に配置され、前記遮音部は、前記吸入口において前記外装筐体の前記天面側に配置されることを特徴とする。
【０００７】
上記一態様によれば、冷却ファンの吸入口の一部を覆うように遮音部が配置されているため、吸入口から洩れるファンノイズの一部は遮音部によって遮られる。これにより、外部に伝わる騒音を低減できる。
また、遮音部は、冷却ファンの回転軸に沿う方向に吸入口から離間して配置されているため、吸入口が遮音部によって塞がれることがなく、空気が流入するスペースを確保することができ、吸入口から吸入される空気の量が低下することを防止できる。従って、冷却ファンの冷却能力の低下を防止できる。
【０００８】
ここで、プロジェクターを使用する際、使用者はプロジェクターの側面側に位置していることが多い。このような場合に、吸入口が外装筐体の側面に対向するように配置されている場合には、使用者が感じる騒音が大きくなる。
上記一態様によれば、外装筐体の側面に対向した吸入口の一部を覆うように遮音部が配置されているため、プロジェクターの側面側に伝わる騒音を低減でき、使用者が感じる騒音を効果的に低減できる。従って、外装筐体内における冷却ファンの配置の自由度を向上できる。
【０００９】
また、プロジェクターを使用する際、使用者の頭部はプロジェクターの天面側に位置していることが多い。例えば、プロジェクターが、天面が上方を向く正置き姿勢である場合には、使用者の頭部はプロジェクターの上方、すなわち天面側に位置し、プロジェクターが、天面が下方を向く天吊り姿勢である場合には、使用者の頭部はプロジェクターの下方、すなわち天面側に位置する。
これに対し、上記一態様によれば、遮音部が、吸入口における天面側を覆うことにより、プロジェクターの天面側に伝わる騒音を低減でき、使用者に伝わる騒音を効果的に低減できる。
【００１０】
上記一態様では、前記冷却ファンは、前記吸入口及び前記吐出口を有するファン本体部と、前記ファン本体部を収納し、前記吸入口を露出させる開口部を有するファンカバーと、を有し、前記遮音部は、前記開口部の一部を覆う庇状に前記ファンカバーに設けられていることが好ましい。
上記構成によれば、遮音部はファン本体部を収納するファンカバーに設けられているため、例えば、遮音部をファンカバーと一体的に形成することができる。このため、例えば、遮音部を別の保持部材等を用いて外装筐体内に配設する場合と比べて、部品点数を少なくでき、コストを低減できるとともに、省スペース化を実現できる。
また、遮音部は、ファンカバーの開口部の一部を覆う庇状に設けられているため、ファンカバーの開口部が遮音部によって塞がれることがなく、当該開口部を介して吸入口から導入される空気の量が低下することを防止できる。従って、冷却ファンの冷却能力の低下を防止できる。
【００１１】
上記一態様では、前記冷却ファンは、前記ファン本体部と前記ファンカバーとの間に防振部材を有することが好ましい。
防振部材として、例えばゴムやスポンジ等の弾性部材を例示できる。
上記一態様によれば、ファン本体部の駆動による振動がファンカバーを介して外部に伝達することを抑制でき、ファンノイズを低減できる。
【００１２】
上記一態様では、前記光源は、前記外装筐体内の、前記投射光学装置の投射方向と前記光源から射出される光の光軸とが直交する位置に配置され、前記冷却ファンは、前記光源の前記光軸に沿った方向に前記吐出口から空気を吐出して前記光源を冷却し、前記冷却ファンは、前記吸入口が前記外装筐体の前記投射方向とは反対側の前記側面に対向する位置に配置される。
【００１３】
プロジェクターを使用する際、使用者はプロジェクターの投射方向とは反対側の側面（背面）に位置していることがある。このような場合に、吸入口が外装筐体の背面に対向するように配置されている場合には、使用者が感じる騒音が大きくなる。
上記一態様によれば、外装筐体の背面に対向した吸入口の一部を覆うように遮音部が配置されているため、プロジェクターの背面側に伝わる騒音を低減でき、使用者が感じる騒音を効果的に低減できる。
【図面の簡単な説明】
【００１４】
【図１】本発明の一実施形態に係るプロジェクターを示す斜視図。
【図２】前記実施形態におけるプロジェクターの構成を示す模式図。
【図３】前記実施形態におけるファンの斜視図。
【図４】前記実施形態におけるファンの分解斜視図。
【図５】前記実施形態におけるファンの正面図。
【発明を実施するための形態】
【００１５】
以下、本発明の一実施形態について、図面に基づいて説明する。
［プロジェクターの概略構成］
図１は、本実施形態に係るプロジェクター１を示す斜視図である。
本実施形態に係るプロジェクター１は、内部に設けられた光源装置５から出射された光を変調して、画像情報に応じた画像を形成し、当該画像をスクリーン等の被投射面（図示省略）に投射するものである。プロジェクター１は、図１に示すように、当該プロジェクター１の外装を構成する平面視略矩形状の外装筐体２を備え、当該外装筐体２内には装置本体３（図２）が収納される。
【００１６】
［外装筐体の構成］
外装筐体２は、正面２１、背面２２、左側面２３、右側面２４、天面２５及び底面２６を有する。正面２１は、後述する投射光学装置４５の一部が露出する面であり、当該投射光学装置４５による画像の投射方向の側面となる。また、背面２２は、正面２１とは反対側の面である。天面２５及び底面２６は、側面となる正面２１、背面２２、左側面２３、及び右側面２４により接続される面である。底面２６には、図示を省略したが、複数の脚部が設けられている。
これら脚部が設置面に接し、天面２５が上方を向くように配置されることで、プロジェクター１は正置き姿勢となり、また、正置き姿勢とは上下を逆にして底面が上方に向き、天面が下方を向く状態で配置されることで、プロジェクター１は、天吊り姿勢となる。
【００１７】
［装置本体の構成］
図２は、プロジェクター１の構成を示す模式図である。
装置本体３は、図２に示すように、外装筐体２内に収納配置される。装置本体３は、光学ユニット４及び冷却装置７を備える。また、図２では図示を省略したが、装置本体３は、プロジェクター１の動作を制御する制御部、及び、プロジェクター１の各構成部材に電力を供給する電源装置を備える。
冷却装置７は、複数のファン７１〜７３により構成され、光学ユニット４、電源装置及び制御部に、外装筐体２外から導入した空気を送風して、これら各装置を冷却する。これらファン７１〜７３のうち、ファン７１は、例えば、外装筐体２に形成された吸気口（図示省略）から外部の空気を導入し、当該空気を後述する電気光学装置４４に送風するシロッコファンである。
【００１８】
また、後述する光源装置５側に配置されたファン７２は、例えば軸流ファンで構成され、光源装置５を冷却した空気を吸引して、プロジェクター１の正面２１に向かって排出し、ひいては、当該空気を正面２１に形成された排気口２１Ａを介して外装筐体２外に排出する。なお、ファン７２はシロッコファンであってもよい。また、排気口２１Ａは、外装筐体２のどの面に形成されていてもよい。
プロジェクター１の背面２２側に位置するファン７３は、例えばシロッコファンで構成され、外装筐体２内の空気を吸引して、光源装置５に送風する。なお、ファン７３の構成については後に詳述する。また、ファン７３は、本発明の冷却ファンに相当する。
【００１９】
［光学ユニットの構成］
光学ユニット４は、制御部による制御の下、画像情報に応じた画像を形成して、当該画像を投射する。光学ユニット４は、光源装置５、照明装置４１、色分離装置４２、リレー装置４３、電気光学装置４４、投射光学装置４５及び光学部品用筐体４６を備える。
【００２０】
光源装置５は、光源ランプである光源５１と、当該光源５１に取り付けられる主反射鏡５２と、平行化レンズ５３と、これらを内部に収納する光源用筐体６とを備える。
照明装置４１は、光源装置５から入射される光により、後述する各液晶パネル４４２の画像形成領域を均一に照明するものであり、２つのレンズアレイ４１１，４１２、偏光変換素子４１３及び重畳レンズ４１４を備える。
【００２１】
色分離装置４２は、照明装置４１から入射される光を、赤、緑及び青の各色光に分離するものであり、ダイクロイックミラー４２１，４２２及び反射ミラー４２３を備える。
リレー装置４３は、他の色光の光路より長い赤色光の光路上に設けられて光の損失を抑制するものであり、入射側レンズ４３１、リレーレンズ４３３及び反射ミラー４３２，４３４を備える。
【００２２】
電気光学装置４４は、入射される赤、緑及び青の各色光を色光毎に変調した後、当該各色光を合成する。電気光学装置４４は、フィールドレンズ４４１と、光変調装置としての３つの液晶パネル４４２（赤色光用、緑色光用及び青色光用の液晶パネルをそれぞれ４４２Ｒ，４４２Ｇ，４４２Ｂとする）と、それぞれ３つの入射側偏光板４４３、視野角補償板４４４及び射出側偏光板４４５と、色合成装置としてのクロスダイクロイックプリズム４４６とを備える。
投射光学装置４５は、筒状の鏡筒内に複数のレンズが収納された組レンズとして構成され、電気光学装置４４により形成された画像光を被投射面上に拡大投射する。
光学部品用筐体４６は、内部に設定された照明光軸Ａに対する所定位置に光源装置５及び各装置４１〜４４を収納する平面視略Ｌ字状の箱型筐体である。
【００２３】
光学ユニット４では、前述の構成により、光源装置５から出射された光は、照明装置４１により照明領域内の照度が均一化されつつ、色分離装置４２により赤、緑及び青の各色光に分離される。これら各色光は、対応する液晶パネル４４２により変調された後、クロスダイクロイックプリズム４４６にて合成され、投射光学装置４５により投射される。
なお、投射光学装置４５の投射方向と、光源５１から出射される光の光軸とが直交する位置に、光源５１は配置される。
【００２４】
［ファンの構成］
図３は、ファン７３の斜視図であり、図４は、ファン７３の分解斜視図である。
以下、プロジェクター１の背面２２側に位置するファン７３について、図３，４を用いて説明する。
ファン７３は、前述のように、外装筐体２内の空気を吸引して、光源装置５に送風する。つまり、ファン７３の冷却対象は光源装置５である。ファン７３は、図３，４に示すように、ファン本体部７５と、ファン本体部７５を収納するファンカバー７６とを有する。
ファン本体部７５は、図４に示すように、ファンケース７５０と、ファンケース７５０内に収納された回転駆動源であるファンモーター７５Ｍ及びファンモーター７５Ｍの回転軸Ａｘに軸支された羽根部材であるファンブレード（図示省略）を有する。ファン本体部７５は、ファンモーター７５Ｍの回転軸Ａｘに沿って取り込んだ空気を、回転接線方向に沿って吐出する。
なお、以降の説明及び図３〜５において、Ｚ方向は、ファン本体部７５の空気の吐出方向を示し、Ｘ方向及びＹ方向は、当該Ｚ方向にそれぞれ直交し、かつ、互いに直交する方向を示している。Ｘ方向は、ファンモーター７５Ｍの回転軸Ａｘに沿う方向であり、後述する第１吸入口７５１Ａから吸入される空気の進行方向を示す。Ｙ方向は、例えば、ＸＺ平面が水平面に沿う場合には、鉛直方向に沿う方向である。
【００２５】
ファンケース７５０は、図４に示すように、ファンモーター７５Ｍの回転軸Ａｘ（Ｘ方向に沿う方向）に直交し、且つ、互いに対向する第１面７５１及び第２面７５２を有する。第１面７５１には、空気を吸入する第１吸入口７５１Ａが形成されている。第２面７５２には、空気を吸入する第２吸入口（図示省略）が形成されている。また、ファンケース７５０における第１面７５１と第２面７５２とを接続する側面７５３には、空気を吐出する吐出口７５３Ａが設けられている。すなわち、ファン本体部７５は、第１吸入口７５１Ａ及び第２吸入口から吸入した空気を吐出口７５３Ａから吐出する両側吸気型のファンである。
そして、ファン７３は、外装筐体２内において、ファンケース７５０の第１面７５１が外装筐体２の背面２２に対向する位置に配設されている。
すなわち、光源５１から出射される光の光軸に沿った方向に、吐出口７５３Ａから空気が吐出される。
【００２６】
ファンカバー７６は、図３に示すように、ファン本体部７５を収納するカバー本体部７６Ａと、ファン本体部７５の吐出口７５３Ａから吐出された空気を光源装置５に導く流路を構成するダクト部７６Ｂとを有する。
また、ファンカバー７６は、図４に示すように、ファン本体部７５の第１面７５１側（Ｘ方向とは反対側）を覆う第１カバー７６１と、ファン本体部７５の第２面７５２側（Ｘ方向側）を覆う第２カバー７６５とから構成されている。
【００２７】
第１カバー７６１は、後述する第２カバー７６５の第２本体部７６６と接合してカバー本体部７６Ａを構成する第１本体部７６２と、後述する第２カバー７６５の第２ダクト部７６７と接合してダクト部７６Ｂを構成する第１ダクト部７６３とを有する。
第１本体部７６２は、ファン本体部７５の第１面７５１と対向する平面部７６２Ａと、平面部７６２Ａの外周縁から延出し、ファン本体部７５の側面７５３と対向する側面部７６２Ｂとを有する。
第１ダクト部７６３は、ファン本体部７５の吐出口７５３Ａの一部を囲み、かつ、空気の吐出方向に延出する側面部により構成されている。
【００２８】
図５は、ファン７３を外装筐体２の背面２２側から見た正面図である。
第１本体部７６２の平面部７６２Ａには、空気をファンカバー７６内に導入するための開口部７６１Ａが形成されている。開口部７６１Ａは、図５に示すように、ファン本体部７５の第１吸入口７５１Ａの一部を露出させるように形成されている。
さらに、図４，５に示すように、平面部７６２Ａにおけるファン本体部７５が配置される側とは反対側（Ｘ方向とは反対側）に、開口部７６１Ａの一部を覆うように、開口部７６１Ａの外縁から延出した庇状の遮音部７６４が設けられている。
【００２９】
遮音部７６４は、開口部７６１Ａの開口面と平行な板部７６４Ａ、及び、板部７６４Ａに直交し、板部７６４Ａと平面部７６２Ａとを接続する側部７６４Ｂから構成されている。すなわち、板部７６４Ａは、側部７６４Ｂの回転軸Ａｘに沿った方向（Ｘ方向に沿った方向）の寸法分、開口部７６１Ａの開口面から離間して配置されている。つまり、板部７６４Ａは、回転軸Ａｘに沿う方向（Ｘ方向に沿う方向）にファン本体部７５の第１吸入口７５１Ａから離間して配置されている。
なお、板部７６４Ａは、開口部７６１Ａの外装筐体２における天面２５側の一部を覆うように設けられている。すなわち、板部７６４Ａは、ファン本体部７５の第１吸入口７５１Ａの外装筐体２における天面２５側の一部を覆うように設けられている。
【００３０】
第２カバー７６５は、図４に示すように、第１カバー７６１の第１本体部７６２と接合してカバー本体部７６Ａを構成する第２本体部７６６と、第１カバー７６１の第１ダクト部７６３と接合してダクト部７６Ｂを構成する第２ダクト部７６７とを有する。
第２本体部７６６は、ファン本体部７５の第２面７５２と対向する平面部７６６Ａと、平面部７６６Ａの外周縁から延出し、ファン本体部７５の側面７５３と対向する側面部７６６Ｂとを有する。
【００３１】
第２ダクト部７６７は、ファン本体部７５の吐出口７５３Ａの一部を囲み、かつ、空気の吐出方向に延出する側面部により構成されている。
第２本体部７６６の平面部７６６Ａには、空気をファンカバー７６内に導入するための開口部７６５Ａが形成されている。開口部７６５Ａは、ファン本体部７５の第２吸入口を露出させるように形成されている。
【００３２】
ファン本体部７５の第１面７５１と第１本体部７６２との間には、図５に示すように、ファン本体部７５の駆動による振動を抑制するための防振部材７７が配置されている。防振部材７７は、第１本体部７６２の開口部７６１Ａを囲む位置に配置されている。防振部材７７として、例えばゴムやスポンジ等の弾性部材を例示できる。
ファン本体部７５の第２面７５２と第２本体部７６６との間にも、同様に、防振部材７７が配置されている。
【００３３】
以上説明した本実施形態に係るプロジェクター１によれば、以下の効果がある。
ファン本体部７５の第１吸入口７５１Ａの一部を覆うように遮音部７６４が配置されているため、第１吸入口７５１Ａから洩れるファンノイズの一部は遮音部７６４によって遮られる。これにより、外部に伝わる騒音を低減できる。
また、遮音部７６４は、第１吸入口７５１Ａが形成された第１面７５１から離間して配置されているため、第１吸入口７５１Ａが遮音部７６４によって塞がれることがなく、空気が流入するスペースを確保することができ、第１吸入口７５１Ａから吸入される空気の量が低下することを防止できる。従って、ファン７３の冷却能力の低下を防止できる。
【００３４】
プロジェクター１を使用する際、使用者はプロジェクター１の側面側に位置していることが多い。このような場合に、吸入口が外装筐体２の側面に対向するように配置されている場合には、使用者が感じる騒音が大きくなる。
本実施形態によれば、外装筐体２の側面に対向した第１吸入口７５１Ａの一部を覆うように遮音部７６４が配置されているため、プロジェクター１の側面側に伝わる騒音を低減でき、使用者が感じる騒音を効果的に低減できる。従って、外装筐体２内におけるファン７３の配置の自由度を向上できる。
【００３５】
プロジェクター１を使用する際、使用者の頭部はプロジェクター１の天面２５側に位置していることが多い。例えば、プロジェクター１が、天面２５が上方を向く正置き姿勢である場合には、使用者の頭部はプロジェクター１の上方、すなわち天面２５側に位置し、プロジェクター１が、天面２５が下方を向く天吊り姿勢である場合には、使用者の頭部はプロジェクター１の下方、すなわち天面２５側に位置する。
これに対し、本実施形態によれば、遮音部７６４が、第１吸入口７５１Ａにおける天面２５側を覆うことにより、プロジェクター１の天面２５側に伝わる騒音を低減でき、使用者に伝わる騒音を効果的に低減できる。
【００３６】
ファン７３は、ファン本体部７５を収納し、第１吸入口７５１Ａを露出させる開口部７６１Ａを有するファンカバー７６を有し、遮音部７６４は、開口部７６１Ａの一部を覆う庇状にファンカバー７６に設けられている。これによれば、遮音部７６４はファン本体部７５を収納するファンカバー７６に設けられているため、例えば、遮音部７６４をファンカバー７６と一体的に形成することができる。このため、例えば、遮音部７６４を別の保持部材等を用いて外装筐体２内に配設する場合と比べて、部品点数を少なくでき、コストを低減できるとともに、省スペース化を実現できる。
また、遮音部７６４は、ファンカバー７６の開口部７６１Ａの一部を覆う庇状に設けられているため、ファンカバー７６の開口部７６１Ａが遮音部７６４によって塞がれることがなく、当該開口部７６１Ａを介して第１吸入口７５１Ａから導入される空気の量が低下することを防止できる。従って、ファン７３の冷却能力の低下を防止できる。
ファン本体部７５とファンカバー７６との間には防振部材７７が配置されている。これによれば、ファン本体部７５の駆動による振動がファンカバー７６を介して外部に伝達することを抑制でき、ファンノイズを低減できる。
【００３７】
［変形例］
本発明は前記実施形態に限定されるものではなく、本発明の目的を達成できる範囲での変形、改良等は本発明に含まれるものである。
前記実施形態では、ファン７３は、外装筐体２の背面２２側に配置され、光源装置５を冷却しているが、本発明はこれに限らない。すなわち、ファン７３は、外装筐体２内のどの部分に配置されていてもよく、また、光学ユニット４を構成する他の冷却対象を冷却するものであってもよい。
【００３８】
前記実施形態では、ファン７３は、ファン本体部７５の第１吸入口７５１Ａがプロジェクター１の背面２２に対向するように外装筐体２内に配設されているが、本発明はこれに限らない。すなわち、ファン７３は、どのような向きで外装筐体２内に配設されていてもよい。
前記実施形態では、遮音部７６４は、ファン７３のファン本体部７５における第１吸入口７５１Ａ側に配置されているが、これに限らず、第１吸入口７５１Ａとは反対側の図示しない第２吸入口側に配置されていてもよい。更には、遮音部７６４は、第１吸入口７５１Ａおよび第２吸入口の両方に配置されていてもよい。
【００３９】
前記実施形態では、遮音部７６４は、ファン本体部７５の第１吸入口７５１Ａのうち外装筐体２における天面２５側の部分を覆っているが、本発明はこれに限らない。例えば、遮音部７６４は、第１吸入口７５１Ａのうち外装筐体２における底面２６側を覆っていてもよい。
前記実施形態では、遮音部７６４は、第１カバー７６１に対して設けられているが、本発明はこれに限らない。すなわち、遮音部７６４は、ファンケース７５０に直接設けられていてもよい。
【００４０】
前記実施形態では、ファン本体部７５とファンカバー７６との間には防振部材７７が配置されているが、本発明はこれに限らない。すなわち、ファン本体部７５とファンカバー７６との間に防振部材７７を配置させなくてもよい。
前記実施形態では、ファン本体部７５は、両側吸気型のファンであるが、本発明はこれに限らない。すなわち、ファン本体部７５は、片側吸気型のファンであってもよい。この場合、例えば、ファンケース７５０の第２吸入口は閉塞される。
前記実施形態では、冷却装置７は、ファン７１〜７３を有しているが、ファン７１及び７２は無くてもよい。
【００４１】
前記実施形態では、プロジェクター１は、３つの液晶パネル４４２（４４２Ｒ，４４２Ｇ，４４２Ｂ）を備えるとしたが、本発明はこれに限らない。すなわち、２つ以下、あるいは、４つ以上の液晶パネルを用いたプロジェクターにも、本発明を適用可能である。
前記実施形態では、光学ユニット４は平面視略Ｌ字形状を有する構成を説明したが、これに限らず、例えば、平面視略Ｕ字形状を有した構成を採用してもよい。
前記実施形態では、光束入射面と光束射出面とが異なる透過型の液晶パネル４４２を用いていたが、光入射面と光射出面とが同一となる反射型の液晶パネルを用いてもよい。
【００４２】
前記実施形態では、光変調装置として液晶パネル４４２を備えたプロジェクター１を例示したが、入射光束を画像情報に応じて変調して光学像を形成する光変調装置であれば、他の構成の光変調装置を採用してもよい。例えば、マイクロミラーを用いたデバイス、例えば、ＤＭＤ（Digital Micromirror Device）等を利用したものなど、液晶以外の光変調装置を用いたプロジェクターにも本発明を適用可能である。
前記実施形態では、ファン７３を備えた冷却装置７を、プロジェクター１に採用した例を挙げたが、本発明はこれに限らない。すなわち、当該ファン７３を備えた冷却装置７は、プロジェクター以外の電子機器にも利用可能である。
【符号の説明】
【００４３】
１…プロジェクター、２…外装筐体、４…光学ユニット、７…冷却装置、２１…正面、２２…背面、２５…天面、７３…ファン（冷却ファン）、７５…ファン本体部、７６…ファンカバー、７７…防振部材、７５１Ａ…第１吸入口（吸入口）、７５３Ａ…吐出口、７６１Ａ…開口部、７６４…遮音部。
【図１】
2014191154.tif 000003
【図２】
2014191154.tif 000004
【図３】
2014191154.tif 000005
【図４】
2014191154.tif 000006
【図５】
2014191154.tif 000007